(57)【要約】【課題】ＶｏＩＰサービスにおいて、通話の秘匿性を確保しつつ、ＩＰワイヤレス電話子機の拡張を行う無線ＬＡＮを利用したＶｏＩＰワイヤレス電話システムを提供する。【解決手段】無線ＬＡＮ端末５には、ＰＰＰｏＥによるインターネット接続用のＩＤおよびパスワードが設定され、ＤＳＬＡＭ３を介してＢＡＳ２への接続時、その情報でユーザ認証を行い、ＡＤＳＬモデム４は無線ＬＡＮ端末より受信したＩＰフレームをＢＡＳへ送信し、ＰＰＰｏＥによる接続後、ＢＡＳより無線ＬＡＮ端末にＩＰアドレスが与えられる。無線ＬＡＮ端末には、ＳＩＰサーバ接続用のＩＤおよびパスワード、ＳＩＰサーバ１のＵＲＬが登録され、これらの接続情報と電話機６から指定された接続先の電話番号を元に、無線ＬＡＮ端末からＳＩＰサーバへ接続を行い、ＡＤＳＬモデムは無線ＬＡＮ端末より受信したＩＰフレームをＳＩＰサーバへ送信して電話の通話相手とのセッションを確立する。【選択図】図１
2005236537.tif 000002
【特許請求の範囲】
【請求項１】
ＩＰ電話通信に用いるＳＩＰ(Session Initiation Protocol)プロトコルにより、ＩＰ電話の加入者情報やＩＰ電話接続情報を管理するＳＩＰサーバと、
ＩＰＣＰによりＩＰアドレスの発行およびインターネットへの接続を管理するＢＡＳ(Broadband Access Server)と、
ブロードバンド回線を収容する局側装置と、
無線ＬＡＮの親機インタフェースおよびブロードバンド回線インタフェースを持つブロードバンド・モデムと、
無線ＬＡＮの子機インタフェースおよびＶｏＩＰインタフェースを持ち、配下の電話機の音声信号と無線ＬＡＮ側のＩＰデータの交換を行い、ＰＰＰｏＥクライアントとして動作する無線ＬＡＮ端末と、
無線ＬＡＮ端末と接続して使用する電話機とを備え、
無線ＬＡＮ端末には、ＰＰＰｏＥによるインターネット接続用の第１のＩＤおよびパスワードが設定され、局側装置を介してＢＡＳへの接続時、第１のＩＤおよびパスワードでユーザ認証を行うことにより、無線ＬＡＮ端末からインターネット接続し、
ブロードバンド・モデムは、ブリッジ動作により中継して、無線ＬＡＮ端末より無線ＬＡＮ経由にて受信したＩＰフレームをＢＡＳへ送信し、
ＰＰＰｏＥによる接続後、ＢＡＳより無線ＬＡＮ端末にＩＰアドレスが与えられ、
無線ＬＡＮ端末には、ＳＩＰサーバ接続用の第２のＩＤおよびパスワード、ＳＩＰサーバのＵＲＬがあらかじめ登録され、これらの接続情報と、電話機から指定された接続先の電話番号を元に、無線ＬＡＮ端末からＳＩＰサーバへの接続を行い、
ブロードバンド・モデムは、ブリッジ動作により、無線ＬＡＮ端末より受信したＩＰフレームをＳＩＰサーバへ送信し、
以降、ＳＩＰサーバを経由し、電話の通話相手とセッションを確立し、通信を行うことを特徴とする無線ＬＡＮを利用したＶｏＩＰワイヤレス電話システム。
【請求項２】
ＩＰ電話通信に用いるＳＩＰプロトコルにより、ＩＰ電話の加入者情報やＩＰ電話接続情報を管理するＳＩＰサーバと、
ＩＰＣＰによりＩＰアドレスの発行およびインターネットへの接続を管理するＢＡＳと、
ブロードバンド回線を収容する局側装置と、
無線ＬＡＮの親機インタフェースおよびブロードバンド回線インタフェースを持つブロードバンド・ルータと、
無線ＬＡＮの子機インタフェースおよびＶｏＩＰインタフェースを持ち、配下の電話機の音声信号と無線ＬＡＮ側のＩＰデータの交換を行い、ＰＰＰｏＥまたはＰＰＰｏＡクライアントとして動作する無線ＬＡＮ端末と、
無線ＬＡＮ端末と接続して使用する電話機とを備え、
無線ＬＡＮ端末には、ＰＰＰｏＥまたはＰＰＰｏＡによるインターネット接続用の第１のＩＤおよびパスワードが設定され、局側装置を介してＢＡＳへの接続時、第１のＩＤおよびパスワードでユーザ認証を行うことにより、無線ＬＡＮ端末からインターネット接続し、
ブロードバンド・ルータは、ブリッジ動作により中継して、無線ＬＡＮ端末より無線ＬＡＮ経由にて受信したＩＰフレームをＢＡＳへ送信し、
ＰＰＰｏＥまたはＰＰＰｏＡによる接続後、ＢＡＳより無線ＬＡＮ端末にＩＰアドレスが与えられ、
無線ＬＡＮ端末には、ＳＩＰサーバ接続用の第２のＩＤおよびパスワード、ＳＩＰサーバのＵＲＬがあらかじめ登録され、これらの接続情報と、電話機から指定された接続先の電話番号を元に、無線ＬＡＮ端末からＳＩＰサーバへの接続を行い、
ブロードバンド・ルータは、ブリッジ動作により、無線ＬＡＮ端末より受信したＩＰフレームをＳＩＰサーバへ送信し、
以降、ＳＩＰサーバを経由し、電話の通話相手とセッションを確立し、通信を行うことを特徴とする無線ＬＡＮを利用したＶｏＩＰワイヤレス電話システム。
【請求項３】
ブロードバンド・ルータは、無線ＬＡＮ端末からの情報を受け取ると、無線ＬＡＮ端末からのＩＰフレームの送信元アドレスを、ＮＡＴ変換によりブロードバンド・ルータに変更する機能を有することを特徴とする請求項２記載の無線ＬＡＮを利用したＶｏＩＰワイヤレス電話システム。
【請求項４】
無線ＬＡＮの子機インタフェースおよびＶｏＩＰインタフェースを持ち、配下の電話機の音声信号と無線ＬＡＮ側のＩＰデータの交換を行い、ＰＰＰｏＥクライアントとして動作する無線ＬＡＮ端末は、ＰＰＰｏＥによるインターネット接続用の第１のＩＤおよびパスワードが設定され、ブロードバンド回線を収容する局側装置を介して、ＩＰＣＰによりＩＰアドレスの発行およびインターネットへの接続を管理するＢＡＳへの接続時、第１のＩＤおよびパスワードでユーザ認証を行うことにより、無線ＬＡＮ端末からインターネット接続し、
無線ＬＡＮの親機インタフェースおよびブロードバンド回線インタフェースを持つブロードバンド・モデムは、ブリッジ動作により中継して、無線ＬＡＮ端末より無線ＬＡＮ経由にて受信したＩＰフレームをＢＡＳへ送信し、
ＰＰＰｏＥによる接続後、ＢＡＳより無線ＬＡＮ端末にＩＰアドレスを与え、
無線ＬＡＮ端末には、ＩＰ電話通信に用いるＳＩＰプロトコルにより、ＩＰ電話の加入者情報やＩＰ電話接続情報を管理するＳＩＰサーバ接続用の第２のＩＤおよびパスワード、ＳＩＰサーバのＵＲＬがあらかじめ登録され、これらの接続情報と、無線ＬＡＮ端末と接続して使用する電話機から指定された接続先の電話番号を元に、無線ＬＡＮ端末からＳＩＰサーバへの接続を行い、
ブロードバンド・モデムは、ブリッジ動作により、無線ＬＡＮ端末より受信したＩＰフレームをＳＩＰサーバへ送信し、
以降、ＳＩＰサーバを経由し、電話の通話相手とセッションを確立し、通信を行うことを特徴とする無線ＬＡＮを利用したＶｏＩＰワイヤレス電話方法。
【請求項５】
無線ＬＡＮの子機インタフェースおよびＶｏＩＰインタフェースを持ち、配下の電話機の音声信号と無線ＬＡＮ側のＩＰデータの交換を行い、ＰＰＰｏＥまたはＰＰＰｏＡクライアントとして動作する無線ＬＡＮ端末は、ＰＰＰｏＥまたはＰＰＰｏＡによるインターネット接続用の第１のＩＤおよびパスワードが設定され、ブロードバンド回線を収容する局側装置を介して、ＩＰＣＰによりＩＰアドレスの発行およびインターネットへの接続を管理するＢＡＳへの接続時、第１のＩＤおよびパスワードでユーザ認証を行うことにより、無線ＬＡＮ端末からインターネット接続し、
無線ＬＡＮの親機インタフェースおよびブロードバンド回線インタフェースを持つブロードバンド・ルータは、ブリッジ動作により中継して、無線ＬＡＮ端末より無線ＬＡＮ経由にて受信したＩＰフレームをＢＡＳへ送信し、
ＰＰＰｏＥまたはＰＰＰｏＡによる接続後、ＢＡＳより無線ＬＡＮ端末にＩＰアドレスを与え、
無線ＬＡＮ端末には、ＩＰ電話通信に用いるＳＩＰプロトコルにより、ＩＰ電話の加入者情報やＩＰ電話接続情報を管理するＳＩＰサーバ接続用の第２のＩＤおよびパスワード、ＳＩＰサーバのＵＲＬがあらかじめ登録され、これらの接続情報と、無線ＬＡＮ端末と接続して使用する電話機から指定された接続先の電話番号を元に、無線ＬＡＮ端末からＳＩＰサーバへの接続を行い、
ブロードバンド・ルータは、ブリッジ動作により、無線ＬＡＮ端末より受信したＩＰフレームをＳＩＰサーバへ送信し、
以降、ＳＩＰサーバを経由し、電話の通話相手とセッションを確立し、通信を行うことを特徴とする無線ＬＡＮを利用したＶｏＩＰワイヤレス電話方法。
【請求項６】
ブロードバンド・ルータは、無線ＬＡＮ端末からの情報を受け取ると、無線ＬＡＮ端末からのＩＰフレームの送信元アドレスを、ＮＡＴ変換によりブロードバンド・ルータに変更することを特徴とする請求項５記載の無線ＬＡＮを利用したＶｏＩＰワイヤレス電話方法。
【発明の詳細な説明】
【技術分野】
【０００１】
本発明は、ＶｏＩＰサービスにおいて、無線ＬＡＮを経由することでＩＰワイヤレス電話子機の拡張を行う無線ＬＡＮを利用したＶｏＩＰワイヤレス電話システムに関する。
【背景技術】
【０００２】
近年、インターネットによるＩＰ電話サービスが、その廉価性から注目されている。
【０００３】
例えば、無線端末（クライアント）からＤＨＣＰ(Dynamic Host Configuration Protocol)サーバを介してＤＮＳ(Domain Name System)サーバにアクセスしてインターネット電話サービスを行う無線通信システムがある（例えば、特許文献１参照）。
【特許文献１】特開平１１−５５３１７号公報
【発明の開示】
【発明が解決しようとする課題】
【０００４】
しかしながら、現在、ＩＰ電話サービスにおける「ワイヤレス機」がいまだ存在していないなど、利便性の面において、一般電話サービスにまだ劣る要素がある。このため、ワイヤレス端末の実現など、ＩＰ電話サービスの向上が期待されている。
【０００５】
また、従来の無線通信システムでは、ＩＰアドレスの割当てはＤＨＣＰサーバにて行っているため、クライアントからＤＨＣＰサーバへの接続時、ユーザの認証は行われない。また、ＤＨＣＰサーバ配下のクライアント群は全て同一ＬＡＮ上に存在するため、クライアント同士の直接通話が可能である。すなわち各クライアントとＤＨＣＰサーバ間にはユーザ認証手順はなく、各クライアント間にも認証手順はない。従って、情報漏洩や不正アタックなど、安全面での保証手段を有さず、セキュリティ上の脆弱性を有する。
【０００６】
そこで本発明は、ＶｏＩＰサービスにおいて、通話の秘匿性を確保しつつ、無線ＬＡＮを経由することでＩＰワイヤレス電話子機の拡張を行う無線ＬＡＮを利用したＶｏＩＰワイヤレス電話システム及び方法を提供することを目的とする。
【課題を解決するための手段】
【０００７】
上述の課題を解決するため、本発明は、ＩＰ電話通信に用いるＳＩＰプロトコルにより、ＩＰ電話の加入者情報やＩＰ電話接続情報を管理するＳＩＰサーバと、ＩＰＣＰによりＩＰアドレスの発行およびインターネットへの接続を管理するＢＡＳと、ブロードバンド回線を収容する局側装置と、無線ＬＡＮの親機インタフェースおよびブロードバンド回線インタフェースを持つブロードバンド・モデムと、無線ＬＡＮの子機インタフェースおよびＶｏＩＰインタフェースを持ち、配下の電話機の音声信号と無線ＬＡＮ側のＩＰデータの交換を行い、ＰＰＰｏＥクライアントとして動作する無線ＬＡＮ端末と、無線ＬＡＮ端末と接続して使用する電話機とを備え、無線ＬＡＮ端末には、ＰＰＰｏＥによるインターネット接続用の第１のＩＤおよびパスワードが設定され、局側装置を介してＢＡＳへの接続時、第１のＩＤおよびパスワードでユーザ認証を行うことにより、無線ＬＡＮ端末からインターネット接続し、ブロードバンド・モデムは、ブリッジ動作により中継して、無線ＬＡＮ端末より無線ＬＡＮ経由にて受信したＩＰフレームをＢＡＳへ送信し、ＰＰＰｏＥによる接続後、ＢＡＳより無線ＬＡＮ端末にＩＰアドレスが与えられ、無線ＬＡＮ端末には、ＳＩＰサーバ接続用の第２のＩＤおよびパスワード、ＳＩＰサーバのＵＲＬがあらかじめ登録され、これらの接続情報と、電話機から指定された接続先の電話番号を元に、無線ＬＡＮ端末からＳＩＰサーバへの接続を行い、ブロードバンド・モデムは、ブリッジ動作により、無線ＬＡＮ端末より受信したＩＰフレームをＳＩＰサーバへ送信し、以降、ＳＩＰサーバを経由し、電話の通話相手とセッションを確立し、通信を行うことを特徴とする。
【０００８】
一本の電話加入契約を複数の無線ＬＡＮ端末が用いる場合は、上記ブロードバンド・モデムをブロードバンド・ルータに変更する。
【発明の効果】
【０００９】
本発明による第一の効果は、従来の電話網に対し、ＩＰ電話のメリットである通話料等の利用コストの削減が期待できることである。特に、長距離通話の場合に大きな効果を得ることができる。設備面では、端末を無線ＬＡＮ化することにより、インターネット網に直接接続するための設備は親機一台に集約することが可能であり、宅内設備コストの削減効果を得ることができる。
【００１０】
第二の効果は、ワイヤレス化により、使用場所を選ばない等の、ユーザからみた利便性が向上することである。
【００１１】
第三の効果は、ＢＡＳがＩＰＣＰによりＩＰアドレスの発行およびインターネットへの接続を管理するため、クライアントからサーバへの接続時にユーザの認証を行い、情報漏洩や不正アタックなどを防止できる。また、サーバ配下のクライアント群は、同一ＬＡＮ上ではないため、クライアント同士の直接通話は不可能となり、通話の秘匿性を確保できる。
【発明を実施するための最良の形態】
【００１２】
次に、本発明の最良の形態について図面を参照して説明する。
【実施例１】
【００１３】
図１は、実施例１の構成を示す。本実施例は、ＳＩＰ(Session Initiation Protocol)サーバ１、ＢＡＳ(Broadband Access Server)２、ＤＳＬＡＭ(Digital Subscriber Line Access Multiplexer：ADSL局側装置)３、ＡＤＳＬ(Asynmetric Digital Subscriber Line)モデム４、無線ＬＡＮ端末（ワイヤレス子機）５、電話機６から構成される。
【００１４】
ＳＩＰサーバ１は、ＩＰ電話通信に用いるＳＩＰプロトコルにより、ＩＰ電話の加入者情報やＩＰ電話接続情報を管理するサーバである。ＢＡＳ２は、ＩＰＣＰ(Internet Protocol Control Protocol)によりＩＰアドレスの発行およびインターネットへの接続を管理するサーバである。
【００１５】
ここでは、インターネットサービスはＡＤＳＬにて物理的に提供される場合を想定し、利用者はインターネット回線にＡＤＳＬモデム４を用いてＢＡＳ／ＳＩＰサーバにアクセスするものとする。そのため、ＡＤＳＬ回線を収容するＤＳＬＡＭ３が電話局内に存在する。
【００１６】
ＡＤＳＬモデム４は、無線ＬＡＮの親機インタフェースおよびＡＤＳＬインタフェースを持つ。ＡＤＳＬインタフェースはインターネットサービス（ＳＩＰサーバ含む）接続および通信が目的であり、無線ＬＡＮは後述する無線ＬＡＮ端末との接続および通信が目的である。
【００１７】
無線ＬＡＮ端末５は、無線ＬＡＮの子機インタフェースおよびＶｏＩＰインタフェースを持ち、配下の電話機の音声信号と無線ＬＡＮ側のＩＰデータの交換を行う。無線ＬＡＮ端末はＰＰＰｏＥ(Point to Point Protocol over Ethernet（登録商標）)クライアントとして動作する。電話機６は、一般公衆回線用の電話端末で、無線ＬＡＮ端末と接続して使用する。ＡＤＳＬモデムおよび無線ＬＡＮ端末はルータ機能は持たない。
【００１８】
本実施例では、無線ＬＡＮ端末のＩＰ電話としての動作は、「無線ＬＡＮ端末からのインターネット接続」と「無線ＬＡＮ端末からのＩＰ電話網への接続」の２つのフェーズから成り立つ。
【００１９】
図２は、無線ＬＡＮ端末のインターネット接続を示す。無線ＬＡＮ端末からのインターネット接続は、以下の手順で行う。
【００２０】
無線ＬＡＮ端末からＰＰＰｏＥにて接続要求を行う。ここで、要求先は、ＢＡＳである。無線ＬＡＮ端末には、ＰＰＰｏＥによる接続に必要な情報として、インターネット接続用のＩＤおよびパスワードを設定しておく。ＤＳＬＡＭを介してＢＡＳへの接続時、その情報でユーザ認証を行うことにより、インターネット接続が可能になる。
【００２１】
ＡＤＳＬモデムは、ブリッジ動作により中継して、無線ＬＡＮ端末より無線ＬＡＮ経由にて受信したＩＰフレームをＡＤＳＬ側、つまりＢＡＳへ送信する。ＰＰＰｏＥによる接続後、ＢＡＳより無線ＬＡＮ端末にＩＰアドレスが与えられる。以降の通信には、このアドレスを用いる。
【００２２】
図３は、無線ＬＡＮ端末のＩＰ電話網への接続を示す。無線ＬＡＮ端末からのＩＰ電話網への接続は、以下の手順で行う。
【００２３】
無線ＬＡＮ端末配下の電話機からの発呼を受け、無線ＬＡＮ端末からＳＩＰサーバへの接続を行う。無線ＬＡＮ端末にはＳＩＰサーバ接続用のＩＤおよびパスワード、ＳＩＰサーバのＵＲＬをあらかじめ登録しておき、この接続情報と、電話機から指定された接続先の電話番号を元に接続を行う。
【００２４】
このとき、ＡＤＳＬモデムは、ブリッジ動作により、無線ＬＡＮ端末より受信したＩＰフレームをＳＩＰサーバへ送信する。以降、ＳＩＰサーバを経由し、電話の通話相手とセッションを確立し、通信を行う。
【００２５】
本実施例について、ＡＤＳＬモデム〜ＤＳＬＡＭ間はＡＤＳＬである必要はなく、ＣＡＴＶやＦＴＴＨ等、あらゆる通信メディアによる通信路の提供が可能である。
【００２６】
また、無線ＬＡＮ端末と電話機は一体化させてもよく、この場合は、電話機にＰＰＰｏＥクライアント機能とＶｏＩＰ機能を持たせることで対応可能である。無線ＬＡＮ端末は複数存在可能であるため、電話機が１つのＡＤＳＬモデム配下に複数つながる構成、つまり１本のＡＤＳＬケーブルを複数の電話機が共用する構成も可能である。
【００２７】
ＡＤＳＬモデムにＶｏＩＰ機能を持たせることで、ＡＤＳＬモデムと電話機を接続してのＩＰ電話の使用も可能である。
【実施例２】
【００２８】
先に述べた実施例１においては、各無線ＬＡＮ端末が独立した電話加入契約を行っていることを前提としている。本実施例では、一本の電話加入契約を複数の無線ＬＡＮ端末が用いる場合の利用形態について述べる。
【００２９】
図４は、本実施例の構成を示す。実施例１の構成に対し、ＡＤＳＬモデム４をＡＤＳＬルータ７に変更する。
【００３０】
図５は、ＡＤＳＬルータからのインターネット接続を示す。ＡＤＳＬルータは、ＰＰＰｏＥクライアント機能を有し、インターネットへの直接的な接続はＡＤＳＬルータで行う。さらにＰＰＰｏＥの他、ＰＰＰｏＡ(Point to Point Protocol over Asynchronous transfer mode)にも対応可能とする。
【００３１】
図６は、ＡＤＳＬルータからのＩＰ電話網への接続を示す。電話機から発呼された際（もしくは音声信号送信時）、無線ＬＡＮ端末からＳＩＰサーバにデータを送信する。この際、各無線ＬＡＮ端末は、接続先の電話番号やＳＩＰサーバへの接続ＩＤおよびパスワード、音声データ等をＩＰフレームにて送信する。音声データをＩＰフレームに変換する動作を無線ＬＡＮ端末が実行する点は、先に述べた実施例１と同じである。
【００３２】
ここで、無線ＬＡＮ端末からの情報を受け取ったＡＤＳＬルータは、無線ＬＡＮ端末からのＩＰフレームの送信元アドレスを、ＮＡＴ(Network Address Translation)変換によりＡＤＳＬルータに変更する。これにより、ＳＩＰサーバとの直接的なセッションはＡＤＳＬルータが行うことになる。言い換えれば、ＳＩＰサーバから見て接続相手はＡＤＳＬルータになる点が異なる。
【００３３】
しかしながら、実際の電話は無線ＬＡＮ端末とＳＩＰサーバ間で行うため、ＡＤＳＬルータは、ＳＩＰサーバからの受信データを変換して無線ＬＡＮ端末に送信する機能、逆に無線ＬＡＮ端末からの受信データを変換してＳＩＰサーバに送信する機能を必要とする。図７は、一本の電話加入契約時におけるＡＤＳＬルータの複数電話セッションへの対応を示す。
【００３４】
また、これらのセッションが複数存在するため、セッション情報をＳＩＰプロトコルレベルで正しく管理する機能をＡＤＳＬルータは必要とする。
【図面の簡単な説明】
【００３５】
【図１】本発明の実施例１の構成図である。
【図２】実施例１における無線ＬＡＮ端末からのインターネット接続の説明図である。
【図３】実施例１における無線ＬＡＮ端末からのＩＰ電話網への接続の説明図である。
【図４】一本の電話加入契約を複数の電話子機で共用する場合の構成図である。
【図５】ＡＤＳＬルータからのインターネット接続の説明図である。
【図６】ＡＤＳＬルータからのＩＰ電話網への接続の説明図である。
【図７】ＡＤＳＬルータの複数電話セッションへの対応の説明図である。
【符号の説明】
【００３６】
１  ＳＩＰサーバ
２  ＢＡＳ
３  ＤＳＬＡＭ
４  ＡＤＳＬモデム
５  無線ＬＡＮ端末（ワイヤレス子機）
６  電話機
７  ＡＤＳＬルータ
【図１】
2005236537.tif 000003
【図２】
2005236537.tif 000004
【図３】
2005236537.tif 000005
【図４】
2005236537.tif 000006
【図５】
2005236537.tif 000007
【図６】
2005236537.tif 000008
【図７】
2005236537.tif 000009